(57)【要約】【課題】熟練した技術によらなくとも、雨水の浸入やガタ付きを生ずることなく、体裁上も良好に釘着固定可能な鋼板製建築部材を提供する。【解決手段】薄板状の鋼板材から所定形状に折り曲げられ、鋼板材の板面から打ち込まれる釘３により、のぼり木等の建築用木材２に釘着固定されるけらば水切り等の鋼板製建築部材１で、釘脚３ａの軸径と略等しい抜き穴１３ａと、抜き穴１３ａを底面中央の同心円上に有し、且つ、釘頭３ｂの直径，厚みと略等しい直径，深さを有する窪み部１３ｂとから、釘穴１３を鋼板材の板面に設けた。【選択図】図４
2009052271.tif 000002
【特許請求の範囲】
【請求項１】
薄板状の鋼板材から所定形状に折り曲げられ、鋼板材の板面から打ち込まれる釘により、のぼり木等の建築用木材に釘着固定されるけらば水切り板等の鋼板製建築部材において、釘脚の軸径と略等しい抜き穴と、該抜き穴を底面中央の同心円上に有し、且つ、釘頭の直径，厚みと略等しい直径，深さを有する窪み部とから、釘穴を鋼板材の板面に設けたことを特徴とする釘着固定用の鋼板製建築部材。
【請求項２】
底面を窪み内に向って湾曲した窪み部を設けてなることを特徴とする請求項１に記載の鋼板製建築部材。
【発明の詳細な説明】
【技術分野】
【０００１】
本発明は、薄板状の鋼板材から所定形状に折り曲げられ、鋼板材の板面から打ち込まれる釘により、のぼり木等の建築用木材に釘着固定されるけらば水切り等の鋼板製建築部材に関するものである。
【背景技術】
【０００２】
一般に、屋根の妻部分においては薄板状の鋼板材から折り曲げられたけらば水切りをのぼり木に釘着固定することが行われている。その釘着固定は、鋼板材の板面に設けた釘穴から釘をのぼり木に打ち込むことにより行われている（特許文献１）。
【０００３】
その釘穴は、釘脚を通せる単なる抜き穴として設けられている。この単なる抜き穴では、釘の打込みにあたり、釘頭が鋼板材の板面に密接するまで打ち込まれていないと、即ち、釘頭が鋼板材の板面より浮いていると、のぼり木側に対する雨水の浸入原因となる。一方、釘頭が鋼板材の板面にめり込む程に強く打ち込むと、亀裂が抜き穴の穴縁より板面に入ることによりけらば水切りのガタ付きを招く原因ともなる。
【特許文献１】特開２００１−０４０８２４
【発明の開示】
【発明が解決しようとする課題】
【０００４】
本発明は、熟練した技術によらなくとも、雨水の浸入やガタ付きを生ずることなく、体裁上も良好に釘着固定可能な鋼板製建築部材を提供することを課題とする。
【課題を解決するための手段】
【０００５】
本願の請求項１に係る発明の鋼板製建築部材は、薄板状の鋼板材から所定形状に折り曲げられ、鋼板材の板面から打ち込まれる釘により、のぼり木等の建築用木材に釘着固定されるけらば水切り等の鋼板製建築部材において、釘脚の軸径と略等しい抜き穴と、該抜き穴を底面中央の同心円上に有し、且つ、釘頭の直径，厚みと略等しい直径，深さを有する窪み部とから、釘穴を鋼板材の板面に設けたことを特徴とする。
【０００６】
本願の請求項２に係る発明の鋼板製建築部材は、底面を窪み内に向って湾曲した窪み部を設けてなることを特徴とする。
【発明の効果】
【０００７】
本願の請求項１に係る発明の鋼板製建築部材によれば、釘頭が窪み部に入り込んで鋼板材の板面と面一になるのを目安として釘をのぼり木等の建築用木材に打ち込めばよく、これにより、熟練した技術によらなくとも、釘頭の浮きによる雨水の浸入や打込み過ぎによる亀裂の発生を防げ、また、釘頭が鋼板材の板面に露出しないことからも体裁上良好に釘着固定することができる。
【０００８】
本願の請求項２に係る発明の鋼板製建築部材によれば、釘頭が窪み部に入り込むまで釘を打ち込むと、窪み部の底面が略扁平に変形することにより、窪み底に対する釘頭の密着性を高められ、また、通し穴が穴径を縮小するよう変形することにより、釘脚に対する抜き穴の密着性も高められる。
【発明を実施するための最良の形態】
【０００９】
図示実施の形態に係る鋼板製建築部材としては、図１で示すように薄板状の鋼板材から所定形状に折り曲げられ、鋼板材の板面から打ち込まれる釘により、のぼり木に釘着固定されるけらば水切りが例示されている。同図中、符号１はけらば水切り、２はのぼり木、３は役物固定用釘、４は垂木、５は野地板、６は屋根材、７は化粧破風板を示す。
【００１０】
けらば水切り１は、図２で示すように略逆Ｌ字状を呈する水切り本体１０と、水切り本体１０の天部面から内側に向けて略逆Ｌ字状を呈する連結板１１と、連結板１１の下部端より野地板の板面上に延びて数条の突条を有する水切り捨板１２とを一体に折り曲げて形成されている。このけらば水切り１は、長さ：１８２９ｍｍ程の長尺ものとして形成されている。
【００１１】
そのけらば水切り１においては、板面の打出し，突抜きにより、釘穴１３が水切り本体１０の側部面に設けられている。この釘穴１３は、長さ：１８２９ｍｍ程の長尺もの（図２中、けらば水切りの一部分を示す。）に対し、４５５ｍｍ程の間隔を隔て複数個を並べて設けられている。
【００１２】
釘穴１３は、図３で示すように抜き穴１３ａを窪み部１３ｂの底面中央の同心円上に設けたもので形成されている。抜き穴１３ａは、釘脚３ａの軸径と略等しい丸穴で形成されている。窪み部１３ｂは、釘頭３ｂの直径，厚みと略等しい直径，深さを有するよう形成されている。
【００１３】
窪み部１３ｂは、底面１３ｃが窪みの内側に向って湾曲するよう形成されている。この窪み部１３ｂを含む釘穴１３を設けるには、鋼板材の板面を円形の凹状に突き出すことから窪み部１３ｂを設け、また、窪み部１３ｂの底面を外側より突き抜いて抜き穴１３ａを設けることから底面１３ｃを湾曲させた窪み部１３ｂとして設けるようにできる。
【００１４】
このように構成する釘穴を設けたけらば水切りでは、図４で示すように釘頭３ｂが窪み部１３ｂに入り込んでけらば水切り１の側部面と面一になるのを目安として釘３をのぼり木２に打ち込めばよい。これにより、熟練した技術によらなくとも、釘頭の浮きによる雨水の浸入や打込み過ぎによる亀裂の発生を防げ、また、釘頭３ａがけらば水切り１の側部面に露出しないことから体裁上良好に釘着固定することができる。
【００１５】
それに加えて、釘頭３ｂが窪み部１３ｂに入り込むまで釘３を打ち込むと、窪み部１３ｂの底面１３ｂが略扁平に変形することから、窪み底に対する釘頭３ｂの密着性を高められる。また、抜き穴１３ａが穴径を縮小するよう変形することにより、釘脚３ａに対する抜き穴１３ａの密着性も高められる。
【００１６】
上述した実施の形態はけらば水切りを例示して説明したが、この他に、軒先水切り，棟包み，谷板，雨押え，捨板水切り等のような薄板状の鋼板材から所定形状に折り曲げられた鋼板製建築部材で、釘により、建築用木材に釘着固定されるものに広く適用することができる。
【図面の簡単な説明】
【００１７】
【図１】本発明に係る鋼板製建築部材の一例としてのぼり木に釘着固定されるけらば水切りを示す説明図である。
【図２】図１のけらば水切りを部分的に示す斜視図である。
【図３】図１のけらば水切りを部分的に示す断面図である。
【図４】図１のけらば水切りを釘着状態で部分的に示す断面図である。
【符号の説明】
【００１８】
１        鋼板製建築部材（けらば水切り）
２        建築用木材（のぼり木）
３        釘
３ａ      釘脚
３ｂ      釘頭
１３      釘穴
１３ａ    抜き穴
１３ｂ    窪み部
１３ｃ    窪み部の底面
【図１】
2009052271.tif 000003
【図２】
2009052271.tif 000004
【図３】
2009052271.tif 000005
【図４】
2009052271.tif 000006